(57)【要約】  【課題】ディスク体を水平方向に重ねて収納しながら、使用者が回り込むことなく、ディスク表面を確認できる収納ケースを提供することを課題とする。  【解決手段】ディスク体を収納するディスク体収納ケースにおいて、少なくとも一方の主表面に平行にディスク体を保持可能に形成された板状体からなるディスクホルダーを２以上、水平方向に主表面同士が重なるように配列し、前記主表面に対する垂線に沿った、ディスクホルダの外側に設けられる第一の回動軸に回動可能に固定され、この第一の回動軸に対して垂直な第二の回動軸に回動可能にディスクホルダーを保持する回転保持体を前記各ディスクホルダーのそれぞれに設ける。【選択図】  図２
2007253991.tif 000002
【特許請求の範囲】
【請求項１】
ディスク体を収納するケースであって、
少なくとも一方の主表面に平行にディスク体を保持可能に形成された板状体からなるディスクホルダーを２以上、水平方向に主表面同士が重なるように配列し、
前記主表面に対する垂線に沿った、ディスクホルダの外側に設けられる第一の回動軸に回動可能に固定され、この第一の回動軸に対して垂直な第二の回動軸に回動可能にディスクホルダーを保持する回転保持体を前記各ディスクホルダーのそれぞれに設けた、
ディスク体収納ケース。
【請求項２】
前記ディスク体収納ケースにおいて、
前記ディスクホルダーの前記第一の回動軸を中心とした回動を、前記第二の回動軸が略水平状態になったところで規制する回動規制部材と、
前記回動規制部材により回動を規制されたディスクホルダーの前記第二の回動軸を中心とした回動を、当該ディスクホルダーが略水平状態になったところで規制する水平支持部材と
を有する請求項１に記載のディスク体収納ケース。
【請求項３】
前記ディスクホルダーは両方の主表面にディスク体を保持可能に形成された板状体からなる請求項１又は２に記載のディスク体収納ケース。
【発明の詳細な説明】
【技術分野】
【０００１】
本発明は、CD、DVD等のディスク体を収納するためのケースに関する。
【背景技術】
【０００２】
CD、DVDなどのディスク体は、薄い板状体であるので収納に際しては、重ねて収納することが効率がよい。ところで、特にディスク体をケースに入れずにそのまま重ねて収納すると、ディスク体の記憶内容等を確認するために、一枚一枚ディスク体の表面を確認する必要があり、使用者の負担となる。これに対応するものとして、例えば、特許文献１には、垂直な回転軸を中心に回動するディスクホルダーを縦方向に配列したディスク体収納ケースが示されている。また、特許文献２から５には、水平な回転軸を中心に回動するディスクホルダーを横方向に配列したディスク体収納ケースが示されている。このような構成によれば、ディスクホルダーを回動させればディスク体をディスクホルダーに保持した状態で、ディスク体の表面を容易に確認することができる。
【特許文献１】特開平８−２２４１３５号公報
【特許文献２】実用新案登録第２５１７７１号公報
【特許文献３】実開昭６２−１８２２８７号公報
【特許文献４】実開昭６２−１６５２８７号公報
【特許文献５】実開昭６０−１７６６４０号公報
【発明の開示】
【発明が解決しようとする課題】
【０００３】
ところで、特許文献２から５の収納ケースではケース本体の正面に対して回動したディスクホルダーに保持されるディスク体の表面は左右方向を向くので、表面を確認する場合は、使用者は回りこまなければ表面を確認することができないという問題がある。一方、特許文献１に記載の発明では、ケース本体の正面に対して回動したディスクホルダーに保持されるディスク体の表面は上を向くので、使用者はそのまま確認することができる。しかし、ディスクケースは棚の上など水平面に置かれることが多く、ディスク体を重ねる方向が水平方向が望ましいが、特許文献１に記載の方法では、ディスク体が垂直方向に積み重なるように収容されることとなる。
本発明は、このような問題に鑑みて、ディスク体を水平方向に重ねて収納しながら、使用者が回り込むことなく、ディスク表面を確認できる収納ケースを提供することを課題とする。
【課題を解決するための手段】
【０００４】
上記課題を解決するために、本発明は次のような構成を有する。
請求項１に記載の発明は、ディスク体を収納するディスク体収納ケースであって、少なくとも一方の主表面に平行にディスク体を保持可能に形成された板状体からなるディスクホルダーを２以上、水平方向に主表面同士が重なるように配列し、前記主表面に対する垂線に沿った、ディスクホルダの外側に設けられる第一の回動軸に回動可能に固定され、この第一の回動軸に対して垂直な第二の回動軸に回動可能にディスクホルダーを保持する回転保持体を前記各ディスクホルダーのそれぞれに設けたものである。なお、板状体は、薄いシート体を袋状にしたものなど、薄くても平板状に形態が保持できるものであれば足りる。また、板状体の主表面とは、板状体の最も面積の広い２つの面をいう。さらに、ディスク体とは、CD、DVD、CDR、CDRW、フロッピーディスク等の光ディスク、光磁気ディスク、磁気ディスクの他、平板状の板体であれば種々のものが含まれる。
請求項２に記載の発明は、前記ディスク体収納ケースにおいて、前記ディスクホルダーの前記第一の回動軸を中心とした回動を、前記第二の回動軸が略水平状態で当該第二の回動軸を中心にディスクホルダーが回動可能になったところで規制する回動規制部材と、前記回動規制部材により回動を規制されたディスクホルダーの前記第二の回動軸を中心とした回動を、当該ディスクホルダーが略水平状態になったところで規制する水平支持部材とを有する請求項１に記載のディスク体収納ケースである。なお、回動規制部材は、ディスクホルダーの回動を直接又は間接的に規制すればよく、回動保持体の回動を規制することによりディスクホルダーの回動を規制する場合が含まれる。
請求項３に記載の発明は、前記ディスク体収納ケースにおいて、前記ディスクホルダーは両方の主表面にディスク体を保持可能に形成された板状体からなるものである。
【発明の効果】
【０００５】
請求項１に記載の発明は、ディスク体を保持する板状体のディスクホルダーを水平方向に重ねて収納しながら、各ディスクホルダーはディスクホルダーの外側に設けられる第１の回動軸により回動することにより重なったディスクホルダー群に重ならない位置にまで回動させることができ、さらに、ディスクホルダーをこの状態から第二の回動軸によって回動させることで、主表面を使用者側に向けることができ、使用者が回り込むことなくディスク体表面を確認することが可能となる。
請求項２に記載の発明は、ディスクホルダーを第一の回動軸を中心に回動させると、回転規制部材によって、このディスクホルダーに対応する前記第二の回動軸が略水平方向になった状態で止まり、そのまま、ディスクホルダーを第二の回動軸を中心に回動させると、水平支持部材によって、ディスクホルダーが略水平になった状態で止まるので、使用者は回転規制部材および水平支持部材により止まる位置にディスクホルダーを動かすだけでディスクホルダーの主表面を上方に向けることができ、作業効率がよい。
請求項３に記載の発明は、板状体のディスクホルダーの両方の主表面にディスク体を保持するので、収納効率を高くすることができる。
【発明を実施するための最良の形態】
【０００６】
以下、本発明の実施形態について、図面を参照しながら説明する。
図１に本実施形態に係るディスク体収納ケースＡの斜視図を示し、図２に図１のＡ−Ａ断面図を示す。ディスク体収納ケースＡは、ディスクホルダー１０、回動保持体２０、第一回動軸３０、仕切り４０、筐体５０とから構成される。
筐体５０は、下方が開放した上面後方に傾斜が設けられた箱状体であり、上面と前面とが一体となって蓋５２を形成し、残りの部分が本体部５１を形成する。蓋５２は本体部５１の上部傾斜面の上縁と、蓋５２の上面の後縁部との接合部に設けられるヒンジ５２ａにより上方に回動して開くように形成されている。図３にディスク体収納ケースＡの蓋５２を開いた状態を表す斜視図を示し、図４にディスク体収納ケースＡの蓋５２を開いた状態の正面図を示す。また、蓋５２の前面には、扁平な長方形状の把手５２ｂが取り付けられている。本体部５１の側面を形成する側板５１ａのそれぞれの下部前面側には前方に突出する突出部５１ａａが設けられ、各突出部５１ａａ間に角棒体により形成される回動規制部材５３が固定されている。また、本体部５１の内部において側板５１ａ間のやや下方位置にやはり角棒体により形成される姿勢保持部材５４が固定されている。図２に示されるように姿勢保持部材５４は後述する収納状態のディスクホルダー１０の仮面を支持してディスクホルダーの姿勢を保持する役割を果たす。
【０００７】
第一回動軸３０は、金属性の丸棒により形成され、本体部５１の内部において側板５１ａ間の下方前方位置に水平に固定されている。
この第一回動軸３０には、複数の回動保持体２０が並列に回動可能に保持されている。回動保持体２０は、合成樹脂により形成される扁平なやや長い直方体形状のブロック体であり、一端側が円弧状に削られており、他端側の先端面に丸棒が先端方向に向って設けられている。この丸棒部分が第二回動軸２０ａを構成する。また、回動保持体２０の一端側近傍の側面には貫通孔が形成されており、この貫通孔に前記第一回動軸３０が通されて回動可能に固定されている。また、図４に示すように回動保持体２０同士の間には、リング状の滑らかな材質により形成される摺動補助リング２０ａが第一回動軸３０に通されており、回動保持部材２０の回動によって隣接する他の回動保持部材２０が回動することを抑制している。
【０００８】
ディスクホルダー１０は長方形状の板状体の一端側を円弧状に形成したものであり、合成樹脂により形成される。筐体５０内に収容された状態におけるディスクホルダー１０の下面前方には、回動保持体２０の第二回動軸２０ａに係合する係合穴１０ｃが形成されており、各回動保持体２０の第二回動軸２０ａには、ディスクホルダー１０がこの係合穴１０を介して係合している。これにより、ディスクホルダー１０は収納時において、主表面同士が重なるように水平方向に配列されることとなる。また、ディスクホルダー１０は、ディスクホルダーの主表面の外側に形成される第一回動軸３０を中心に回動することができるとともに、第二回動軸２０ａを中心に回動することができる。図５にディスク体収納ケースＸの一のディスクホルダー１０を第一回動軸３０を中心に回動させた状態を表す斜視図を示し、図６にこの状態からさらにディスクホルダー１０を第二回動軸２０ａを中心に回動させた状態を表す斜視図を示す。なお、図５に示すようにディスクホルダー１０が外側に回動すると、筐体５０の下方前部に形成された回動規制部材５３が回動を規制することとなる。回動規制部材５３は、ほぼ第二回動軸２０ａが水平状態となったところで、ディスクホルダー１０の回動を規制するようになっている。また、図６に示すように回動規制部材５３および本体部５１の側板５１ａに形成される突出部５１ａａは、第二回動軸２０ａがほぼ水平状態となったところで、ディスクホルダー１０が第二回動軸２０ａを中心に回動すると、ディスクホルダー１０の主表面がほぼ水平になったところで、ディスクホルダー１０の回動を規制する。即ち、回動規制部材５３および突出部５１ａａは、水平支持部材として機能する。ディスクホルダー１０の両主表面には、ＣＤもしくはＤＶＤの規格に合致した円盤状のディスク体を係合保持できる係合突起１０ａａを中心に設けた係合穴１０ａが形成されており、ＣＤ等のディスクが係合することで、ディスクホルダーの主表面に平行に保持固定されることとなる。また、収納状態におけるディスクホルダ１０ーの上縁前方には、把手１０ｂが突出してあり、この部分に円形の薄いゴム板が両面に貼り付けてある。使用者はこの把手１０ｂを持ってディスクホルダー１０を操作する。
仕切り４０は、薄い板体であり、筐体５０の本体部５1の内部に収容された各ディスクホルダー１０の間を仕切るように固定されている。
【０００９】
次に、以上のような構成を有するディスク体収納ケースＸの使用方法について説明する。すでに、ディスクホルダー１０には、CD等のディスクDが保持されており、図１のような状態で収納されているものとする。まず、使用者は、蓋５２を開いて図３に示すような状態とする。次に、目的とするディスクDを収納したと思うディスクホルダー１０の把手１０ｂに指を添えて、ディスクホルダー１０を手前に倒し、図４に示すような状態とし、さらに、そのまま、左右のいずれかにディスクホルダー１０を倒して図５に示すような状態とする。ここで、ディスクホルダー１０の保持されているディスクDの表面が見える様態となるので、目的とするディスクDかどうかを判断し、目的とするディスクであればそのままディスクDを取り出して使用し、目的とするディスクでない場合は、ディスクホルダー１０を左右方向における逆方向に倒したり、このディスクホルダー１０を図３に示すような状態に戻した後に、別のディスクホルダー１０について、同様の操作を行うことでディスクDを確認する。このように、本実施形態に係るディスク体収納ケースＸでは、ディスクＤの表面を使用者が移動することなく確認できるので、使用者の労力を軽減することができる。
【００１０】
なお、どのディスク体をどのディスクホルダー１０に保持させたかをよりわかりやすくするために、図７に示すように、蓋５２の裏面５２ａにインデックス５２ａｂを設けるようにしてもよい。ここでは、ディスクホルダー１０のそれぞれに対して、右面と左面を示す表記５２ａａの下にディスクの内容を表すインデックス５２ａｂを示す例を挙げている。このようにすれば、より、ディスクを取り出しやすくなるが、収納時の誤りもあるので、やはり、ディスクを取り出す際には、ディスク表面の確認は必要であり、本実施形態に係るディスク体収納ケースＸの機能は有用である。
【図面の簡単な説明】
【００１１】
【図１】実施形態に係るディスク体収納ケースの斜視図である。
【図２】図１のＡ−Ａ断面図である。
【図３】実施形態に係るディスク体収納ケースの蓋を開けた状態を示す斜視図である。
【図４】実施形態に係るディスク体収納ケースの蓋を開けた状態を示す正面図である。
【図５】実施形態に係るディスク体収納ケースの第一回動軸を中心にディスクホルダーを倒した状態を示す斜視図である。
【図６】実施形態に係るディスク体収納ケースの第二回動軸を中心にディスクホルダーを倒した状態を示す斜視図である。
【図７】裏面にインデックスを設けた例を示すディスク体収納ケースの蓋体裏面の正面図である。
【符号の説明】
【００１２】
Ｘ        ディスク体収納ケース
１０      ディスクホルダー
２０      回動保持体
２０ａ    第二回動軸
３０      第一回動軸
４０      仕切り
５０      筐体
５１ａａ  突出部（水平支持部材）
５３      回動規制部材（水平支持部材）
【図１】
2007253991.tif 000003
【図２】
2007253991.tif 000004
【図３】
2007253991.tif 000005
【図４】
2007253991.tif 000006
【図５】
2007253991.tif 000007
【図６】
2007253991.tif 000008
【図７】
2007253991.tif 000009
【手続補正書】
【提出日】平成18年3月24日(2006.3.24)
【手続補正１】
【補正対象書類名】図面
【補正対象項目名】全図
【補正方法】変更
【補正の内容】
【図１】
2007253991.tif 000010
【図２】
2007253991.tif 000011
【図３】
2007253991.tif 000012
【図４】
2007253991.tif 000013
【図５】
2007253991.tif 000014
【図６】
2007253991.tif 000015
【図７】
2007253991.tif 000016